(57)【特許請求の範囲】
【請求項１】
ピザの底面に挿入してピザを支承し得る板状の支承面部を設け、この支承面部と対向状態にして支承面部よりも短い挟み込み片部を設けると共に、この挟み込み片部は支承面部に対して離反方向に弾発付勢されるように構成し、この支承面部の基端部に握持部を設け、この握持部を握持した手の親指で前記挟み込み片部を弾発付勢力に抗し支承面部に近接するように押圧した際、支承面部に支承したピザ切断片の基部側をこの挟み込み片部で上方から押さえ込んで支承面部と挟み込み片部とでピザ切断片を挟み込み係止し得るように構成し、前記挟み込み片部は、前記支承面部の基端側の一部を切り出した切り出し片により構成し、この支承面部の基端側に切り出された挟み込み片部で支承面部に支承したピザ切断片の基部側を上方から押さえ込むように構成したことを特徴とするピザ用トング。
【請求項２】
前記支承面部のピザ底面に対する挿入先端側を、先細る形状に形成したことを特徴とする請求項１記載のピザ用トング。
【請求項３】
一枚の板材の途中部に段差部を折曲形成してこの段差部の下側となる板材の一端側を前記支承面部とすると共に、段差部の上側となる板材の他端側を前記握持部とし、この板材の段差部から切り出した切り出し片を前記挟み込み片部とし、この段差部から切り出された挟み込み片部と，段差部の下側となる支承面部との上下間隙部にピザを挟み込みし得るように構成したことを特徴とする請求項１，２のいずれか１項に記載のピザ用トング。
【請求項４】
前記支承面部のピザ底面に対する挿入先端側を、１／４若しくは１／８の大きさに切断された扇形のピザ切断片よりも小さく形成したことを特徴とする請求項１〜３のいずれか１項に記載のピザ用トング。
【発明の詳細な説明】
【０００１】
【発明の属する技術分野】
本発明は、手を汚さずにピザを食することができるピザ用トングに関するものである。
【０００２】
【従来の技術及び発明が解決しようとする課題】
ピザは、切断したピザ切断片を手づかみで食するのが普通であるため、どうしても手が汚れてしまう。
【０００３】
本発明は、この点、手を汚すことなく簡易にピザ切断片をつかんで食することができる画期的なピザ用トングを提供するものである。
【０００４】
【課題を解決するための手段】
添付図面を参照して本発明の要旨を説明する。
【０００５】
ピザ１の底面に挿入してピザ１を支承し得る板状の支承面部２を設け、この支承面部２と対向状態にして支承面部２よりも短い挟み込み片部３を設けると共に、この挟み込み片部３は支承面部２に対して離反方向に弾発付勢されるように構成し、この支承面部２の基端部に握持部５を設け、この握持部５を握持した手の親指で前記挟み込み片部３を弾発付勢力に抗し支承面部２に近接するように押圧した際、支承面部２に支承したピザ切断片１Ａの基部側をこの挟み込み片部３で上方から押さえ込んで支承面部２と挟み込み片部３とでピザ切断片１Ａを挟み込み係止し得るように構成し、前記挟み込み片部３は、前記支承面部２の基端側の一部を切り出した切り出し片により構成し、この支承面部２の基端側に切り出された挟み込み片部３で支承面部２に支承したピザ切断片１Ａの基部側を上方から押さえ込むように構成したことを特徴とするピザ用トングに係るものである。
【０００６】
また、前記支承面部２のピザ１底面に対する挿入先端側を、先細る形状に形成したことを特徴とする請求項１記載のピザ用トングに係るものである。
【０００７】
また、一枚の板材Ａの途中部に段差部７を折曲形成してこの段差部７の下側となる板材Ａの一端側を前記支承面部２とすると共に、段差部７の上側となる板材Ａの他端側を前記握持部５とし、この板材Ａの段差部７から切り出した切り出し片を前記挟み込み片部３とし、この段差部７から切り出された挟み込み片部３と，段差部７の下側となる支承面部２との上下間隙部にピザ１を挟み込みし得るように構成したことを特徴とする請求項１，２のいずれか１項に記載のピザ用トングに係るものである。
【０００８】
また、前記支承面部２のピザ１底面に対する挿入先端側を、１／４若しくは１／８の大きさに切断された扇形のピザ切断片１Ａよりも小さく形成したことを特徴とする請求項１〜３のいずれか１項に記載のピザ用トングに係るものである。
【０００９】
【発明の実施の形態】
好適と考える本発明の実施の形態（発明をどのように実施するか）を、図面に基づいてその作用効果を示して簡単に説明する。
【００１０】
本発明品の握持部５を持ってピザ１の底面に支承面部２を挿入し、握持部５を握持した手の親指で挟み込み片部３をその弾発付勢力に抗し押圧すると、ピザ切断片１Ａの基部側上面を挟み込み片部３が押さえ込み、この挟み込み片部３と支承面部２とでピザ切断片１Ａを挟み込み係止することができる。
【００１１】
また、この際、板状の支承面部２はピザ１の底面に挿入することが容易にできるし、その後、単に握持部５を持った手の親指で挟み込み片部３を押圧するだけの操作によりピザ１（ピザ切断片１Ａ）を容易につかむことができるため、極めて操作性に秀れる。
【００１２】
この本発明のピザ用トングでピザ切断片１Ａをつかんだまま食することができるが、この際、ピザ切断片１Ａは安定的に支承面部２に支承されている上、支承面部２より短い挟み込み片部３は、挟み込み係止したピザ切断片１Ａの基部側を押さえ込んでいてピザ切断片１Ａを先端側から食する際の邪魔とはならないために、このピザ切断片１Ａを食べ易い。
【００１３】
従って、これまでは切断されたピザ切断片１Ａを手づかみで食することが普通であったためにどうしても手を汚してしまっていたが、本発明品によれば、手を汚すことなく簡易にピザ切断片１Ａをつかんで食することができる。
【００１４】
【実施例】
本発明の具体的な実施例について図面に基づいて説明する。
【００１５】
本実施例は、ピザ１の底面に挿入してピザ１を支承し得る板状の支承面部２を設け、この支承面部２と対向状態にして支承面部２より短い挟み込み片部３を設けると共に、この挟み込み片部３は支承面部２に対して近接させた状態から離反する方向に弾発付勢されるように構成している。
【００１６】
具体的に説明すると、本実施例では一枚のやや細長い薄板材Ａを本体Ａとし、この本体Ａの途中部基端寄りに段差部７を折曲形成して、この段差部７より先端側（段差部７の下側となる部分）を前記支承面部２とし、基端側（段差部７の上側となる部分）を握持部５としている。
【００１７】
また、支承面部２は、扇形に切断されるピザ切断片１Ａの形に同調させて先端側を先細る形状に形成すると共に、１／４や１／８に切断されたピザ切断片１Ａよりも小さく形成し、これによりピザ切断片１Ａをつかみ取る際に支承面部２が隣接するピザ切断片１Ａまで載置支承しにくく、所望のピザ切断片１Ａが取り易くなるように構成している。
【００１８】
また、この先細り形状の支承面部２は、挿入先端側の先端縁部及び左右側縁部を尖鋭形状に形成してピザ１に切り込み可能な切り込み縁部４に構成し、この切り込み縁部４により例えば、支承面部２の先端部及び左右側縁部の切り込み縁部４でピザ１を切断したり、予め切断されていても良く切れていない部分がある場合などもこの切り込み縁部４で簡単に切断したりできるように構成すると共に、図２に示すようにこの切り込み縁部４を形成することで尖鋭状となった支承面部２の先端部をピザ１の底面とトレーなどのピザ載置面との間に挿入し易くしている。
【００１９】
また、本実施例では、図１に示すように、前記本体Ａの段差部７の上側部分から下側部分に至る部分、即ち言い換えると、支承面部２の基部側から前記段差部７を介して前記握持部５に至る部分を上方へ切り出し形成し、この切り出し片を前記挟み込み片部３としている。
【００２０】
従って、本実施例では、この段差部７から切り出された挟み込み片部３と，段差部７の下側となる支承面部２との上下間隙部にピザ１を挟み込みし得るように構成すると共に、本体Ａから切り出した挟み込み片部３の弾性により、この挟み込み片部３が支承面部２に対して近接させた状態から離反する方向に弾発付勢することとなるように構成している。
【００２１】
また、この挟み込み片部３は、図１，図２に示すように、先端側を下方に向かって凸となる湾曲面に形成して、この凸湾曲下面でピザ切断片１Ａを押さえ込むように構成している。
【００２２】
また、この挟み込み片部３の操作方法について説明すると、前記握持部５を握持した際にこの挟み込み片部３の凹湾曲上面に握持した手の親指を配し、この親指で挟み込み片部３を支承面部２に接近するように押圧することにより、支承面部２に支承したピザ切断片１Ａの基部側をこの挟み込み片部３が上方から押さえ込み、支承面部２とこの挟み込み片部３とでピザ切断片１Ａを挟み込み係止し得ることとなるように構成している。
【００２３】
図中符号６は本体Ａの基端部に設けた掛孔であり、この掛孔６を利用して本実施例のピザ用トングを適所に掛止できるように構成している。
【００２４】
尚、本発明は、本実施例に限られるものではなく、各構成要件の具体的構成は適宜設計し得るものである。
【００２５】
【発明の効果】
本発明は上述のように構成したから、従来、ピザは切断されたピザ切断片を手づかみで食することが普通であったためにどうしても手を汚してしまっていたが、本発明品を使用することで、手を汚すことなく簡易にピザ切断片をつかんで食することが可能となる極めて実用性に秀れた画期的なピザ用トングとなる。
【００２６】
また、本発明においては、前記挟み込み片部は、前記支承面部の基端側の一部を切り出した切り出し片により構成し、この支承面部の基端側に切り出された挟み込み片部で支承面部に支承したピザ切断片の基部側を上方から押さえ込むように構成したから、支承面部と対向状態となる挟み込み片部を簡易に設計実現可能となり、量産性に秀れ安価な製品を提供可能となる一層実用性に秀れた構成のピザ用トングとなる。
【００２７】
また、請求項２記載の発明においては、扇形に切断されることの多いピザ切断片の形に同調させて支承面部を先細る形状に形成したから、この支承面部がピザ切断片をつかみ取る際に隣接するピザ切断片まで載置支承しにくく所望のピザ切断片を取り易くなる一層実用性に秀れた構成のピザ用トングとなる。
【００２８】
また、請求項３記載の発明においては、前記作用効果を確実に発揮する本発明のピザ用トングを、例えば実施例で述べた構成のように一枚の板材から設計実現可能となり、量産性に秀れ安価に構成可能であるなど極めて実用性に秀れた構成のピザ用トングとなる。
【００２９】
また、請求項４記載の発明においては、支承面部を扇形のピザ切断片よりも小さく形成したから、この支承面部がピザ切断片をつかみ取る際に隣接するピザ切断片まで載置支承しにくく所望のピザ切断片だけを取り易くなる一層実用性に秀れた構成のピザ用トングとなる。
【図面の簡単な説明】
【図１】  本実施例の使用状態を示す斜視図である。
【図２】  本実施例の支承面部をピザ切断片の底部に挿入した状態を示す説明図である。
【符号の説明】
１  ピザ
１Ａ  ピザ切断片
２  支承面部
３  挟み込み片部
５  握持部
７  段差部
Ａ  板材
【図１】
0003660268.tif 000002
【図２】
0003660268.tif 000003